(57)【要約】【課題】製造工程で回転スライドバルブとストッパアームとが誤った位置で組み立てられることがなく、ストッパアームの操作によって完全な閉塞状態を確保することができるトリガーディスペンサのレバーストッパ機構を提供すること。【解決手段】回転スライドバルブ１１２に、回転に連動し閉塞位置に切り替えられたときにトリガーレバー１０８の動作を規制する動作規制部１３を備えたストッパアーム１２を嵌合連結し、これら回転スライドバルブ１１２とストッパアーム１２との嵌合連結部１１に互いの組込み位置を規制する嵌合凹部１５ａ〜１５ｃと嵌合凸部１４ａ〜１４ｃとのいずれかを設ける。これにより、嵌合凹凸部１４，１５によって回転スライドバルブ１１２とストッパアーム１２の嵌合位置が規制されてこれらを互いに嵌め合わせなければ組み立てることができず、これにより、誤組立てを防止して確実に閉塞状態を確保することができるようになる。【選択図】  図４
2005008171.tif 000002
【特許請求の範囲】
【請求項１】
吐出ノズル部の先端部に中心軸回りに回動し噴霧位置と閉塞位置とを切り替える回転スライドバルブを備えるとともに、トリガーレバーの操作で一定量ずつ噴射するトリガーディスペンサの前記トリガーレバーの動作を規制するトリガーディスペンサのレバーストッパ機構であって、前記回転スライドバルブに、回転に連動し閉塞位置に切り替えられたときに前記トリガーレバーの動作を規制する動作規制部を備えたストッパアームを嵌合連結し、これら回転スライドバルブとストッパアームとの嵌合連結部に互いの組込み位置を規制する嵌合凹部と嵌合凸部とのいずれかを設けたことを特徴とするトリガーディスペンサのレバーストッパ機構。
【請求項２】
前記嵌合凹部を前記回転スライドバルブの先端面外周に設ける一方、前記嵌合凸部を前記ストッパアームの基端面に設けたことを特徴とする請求項１記載のトリガーディスペンサのレバーストッパ機構。
【請求項３】
前記ストッパアームの動作規制部に、当該ストッパアームが閉塞位置に切り替えられたときに前記トリガーレバーが係合される係合溝を回動基端部に設けたことを特徴とする請求項１または２記載のトリガーディスペンサのレバーストッパ機構。
【請求項４】
前記ストッパアームが閉塞位置に切り替えられたときに前記動作規制部の反トリガーレバー側の端面と当接するストッパ部材を、前記動作規制部と交差してトリガー本体に設けたことを特徴とする請求項１〜３のいずれかに記載のトリガーディスペンサのレバーストッパ機構。
【発明の詳細な説明】
【０００１】
【発明の属する技術分野】
この発明はトリガーディスペンサのレバーストッパ機構に関し、回転スライドバルブに嵌合連結してトリガーレバーによる誤操作を規制するストッパアームの組込み間違いを防止できるようにしたものである。
【０００２】
【従来の技術】
浴室用洗剤やトイレ用洗剤などの液体状の内容物を容器内から一定量ずつ噴射させて取り出すためトリガーディスペンサが広く用いられている。
【０００３】
このトリガーディスペンサの構造は、例えば図５に示すように、側方に延びる吐出ノズル部１０１を備えたトリガーヘッド１０２と、このトリガーヘッド１０２と容器１０３とを連結するリテーナ１０４と、このリテーナ１０４の吸込管１１３に接続されるディップチューブ１０５とを備えてトリガーディスペンサ１００が構成されている。
【０００４】
そして、トリガーヘッド１０２の中空部内側には、下方に開口する縦型のシリンダ１０６が設けられてピストン１０７が上下に摺動自在に装着されており、トリガーヘッド１０２に揺動自在に取り付けられたトリガーレバー１０８によってピストン１０７を駆動することができ、これによってシリンダ１０６との間に形成されるポンプ室１０９の容積を変えることができるようになっている。
【０００５】
このポンプ室１０９の吐出側である吐出ノズル部１０１には、吐出弁機構１１０が設けられ、スプリング等のばね力により弁を閉じる方向に付勢され、通常は吐出弁機構１１０は閉状態とされている。
【０００６】
また、ポンプ室１０９とディップチューブ１０５との間には、吸入弁機構１１１が設けられ、内容液の吐出の際に閉じ、吸引の際に開くようにしてある。
【０００７】
したがって、トリガーレバー１０８を引いてピストン１０７を上昇させると、ポンプ室１０９に溜まっていた内容液は加圧され、吐出弁機構１１０を開いて吐出ノズル部１０１から噴霧される。
【０００８】
一方、トリガーレバー１０８を離してピストン１０７を押し下げると、吐出弁機構１１０が閉じられてポンプ室１０９内が負圧になって吸入弁機構１１１が開かれ、ディップチューブ１０５を介して内容液がシリンダ１０６のポンプ室１０９内に吸引される。
【０００９】
このようなトリガーディスペンサ１００によって一定量ずつ内容物を噴霧することができ、回転スライドバルブ１１２のスライド位置を変えることによって内容液の旋回渦流の旋回速度等を調節して噴射状態を発泡状態だけでなく霧状等にしたり、噴射しない閉塞状態にすることができるようになっている。
【００１０】
このようなトリガーディスペンサ１００では、回転スライドバルブ１１２を閉塞状態としたまま、トリガーレバー１０８がわずかに引かれたり、外力などで引かれるのと同等の状態になると、ポンプ室１０９内の内容液の圧力が累積的に上昇し、蓄圧状態となる。
【００１１】
この状態で、回転スライドバルブ１１２が回動されて噴射状態に切り替えられると、その瞬間、ポンプ室１０９内の内容液がその蓄圧された圧力によって不意に噴射され、液垂れを生じてしまう。
【００１２】
そこで、回転スライドバルブが閉塞状態のときには、トリガーレバーを操作できないようにするトリガーディスペンサのストッパ機構が開発されている。
【００１３】
例えば、図６に示す特許文献１に開示されたトリガーディスペンサ１２０では、回転スライドバルブ１２１を閉塞状態にしたとき、この回転スライドバルブ１２１の下面からトリガーレバー１２２の前面を覆うトリガーカバー１２３を突き出して設け、このトリガーカバー１２３の先端部に略Ｕ字状の係止部１２４を形成してトリガーレバー１２２の下端部を囲んで係止するとともに、トリガーカバー１２３の前面にリブ１２５が形成してあり、トリガーカバー１２３でトリガーレバー１２２の前面を覆うとともに、下端部を係止部１２４で係止してトリガーレバー１２２の操作を規制し、規制状態であることをリブ１２５に触れることで触覚的に判るようにしてトリガーレバー１２２の引込み操作を中止するようにしている。
【００１４】
また、図７に示す特許文献２に開示されたトリガーディスペンサ１３０では、トリガーレバー１３１の側面に突出させて係合孔１３２を形成しておき、回転スライドバルブ１３３の外面後方に突き出して形成したアーム１３４に、係合孔１３２に係合される係合突起１３５を形成するとともに、アーム１３４の後部のストッパ部１３６をトリガーレバー１３１の後面とシリンダ１３７の先端壁との間に係合するようにしてあり、回転スライドバルブ１３３を閉塞状態に回動してトリガーレバー１３１の係合孔１３２にアーム１３４の係合突起１３５を係合すると同時に、アーム１３４の後部のストッパ部１３６をトリガーレバー１３１の後面とシリンダ１３７の先端壁との間に係合してトリガーレバー１３１の操作を規制するようになっている。
【００１５】
さらに、特許文献３に開示されたトリガーディスペンサのレバーストッパ機構１４０では、図８に示すように、回転スライドバルブ１１２の前方から嵌合されて一体に回動させることができるバルブカバー１４１を備えており、このバルブカバー１４１に側方に突き出してストッパアーム１４２が一体に形成してある。
そして、このストッパアーム１４２に、略垂直下方に突き出すように回動されてトリガーレバー１０８の回動方向上流側の側面に当接したとき、後方に突き出す部分１４２ａにトリガーレバー１０８の引き込み側後端面と、トリガーディスペンサ１００本体から延出するリブ１１５との間に挿入にされてこれらに当接してトリガーレバー１０８の引き込み動作を規制するストッパ片１４３が一体に形成してある。
したがって、このバルブカバー１４１の側方に突き出したストッパアーム１４２によって回転スライドバルブ１１２の回動操作をわずかな力で簡単に行うことができ、しかもストッパ片１４３でトリガーレバー１０８を直接拘束することで、特に大きな操作力などが加わる場合にも対応できるようにしている。
【００１６】
【特許文献１】
特開平１０−１４６５５０号公報
【特許文献２】
国際公開ＷＯ９８／１７３９９号公報
【特許文献３】
特開２００１−３９４６１号公報
【００１７】
【発明が解決しようとする課題】
ところが、回転スライドバルブ１１２に嵌合連結するバルブカバー１４１にストッパアーム１４２を一体に形成しておき、製造工程でこれらを組み立てる場合、回転スライドバルブ１１２の閉塞位置とストッパアーム１４２の閉塞位置がずれた状態で組み立てられると、ストッパアーム１４２を閉塞位置にしても回転スライドバルブ１１２は噴射が可能な状態のままになってしまうという問題がある。
【００１８】
この発明はかかる従来技術の有する課題を解決するためになされたもので、製造工程で回転スライドバルブとストッパアームとが誤った位置で組み立てられることがなく、ストッパアームの操作によって完全な閉塞状態を確保することができるトリガーディスペンサのレバーストッパ機構を提供しようとするものである。
【００１９】
【課題を解決するための手段】
上記従来技術が有する課題を解決するため、この発明の請求項１記載のトリガーディスペンサのレバーストッパ機構は、吐出ノズル部の先端部に中心軸回りに回動し噴霧位置と閉塞位置とを切り替える回転スライドバルブを備えるとともに、トリガーレバーの操作で一定量ずつ噴射するトリガーディスペンサの前記トリガーレバーの動作を規制するトリガーディスペンサのレバーストッパ機構であって、前記回転スライドバルブに、回転に連動し閉塞位置に切り替えられたときに前記トリガーレバーの動作を規制する動作規制部を備えたストッパアームを嵌合連結し、これら回転スライドバルブとストッパアームとの嵌合連結部に互いの組込み位置を規制する嵌合凹部と嵌合凸部とのいずれかを設けたことを特徴とするものである。
このトリガーディスペンサのレバーストッパ機構によれば、回転スライドバルブに、回転に連動し閉塞位置に切り替えられたときにトリガーレバーの動作を規制する動作規制部を備えたストッパアームを嵌合連結し、これら回転スライドバルブとストッパアームとの嵌合連結部に互いの組込み位置を規制する嵌合凹部と嵌合凸部とのいずれかを設けるようにしており、嵌合凹凸部によって回転スライドバルブとストッパアームの嵌合位置が規制されてこれらを互いに嵌め合わせなければ組み立てることができず、これにより、誤組立てを防止して確実に閉塞状態を確保することができるようになる。
【００２０】
また、この発明の請求項２記載のトリガーディスペンサのレバーストッパ機構は、請求項１記載の構成に加え、  前記嵌合凹部を前記回転スライドバルブの先端面外周に設ける一方、前記嵌合凸部を前記ストッパアームの基端面に設けたことを特徴とするものである。
このトリガーディスペンサのレバーストッパ機構によれば、前記嵌合凹部を前記回転スライドバルブの先端面外周に設ける一方、前記嵌合凸部を前記ストッパアームの基端面に設けるようにしており、回転スライドバルブの先端面に生じる段差の有無を見ることで、簡単に誤組み立て状態を見付け出すことが可能となる。
【００２１】
さらに、この発明の請求項３記載のトリガーディスペンサのレバーストッパ機構は、請求項１または２記載の構成に加え、  前記ストッパアームの動作規制部に、当該ストッパアームが閉塞位置に切り替えられたときに前記トリガーレバーが係合される係合溝を回動基端部に設けたことを特徴とするものである。
このトリガーディスペンサのレバーストッパ機構によれば、前記ストッパアームの動作規制部に、当該ストッパアームが閉塞位置に切り替えられたときに前記トリガーレバーが係合される係合溝を回動基端部に設けるようにしており、ストッパアームを回動して係合溝にトリガーレバーが係合することで、クリック感が生じ、確実に操作したことを確認できるとともに、大きな力が加わっても突起部で仕切る場合に比べ係合溝からの乗り上げを防止して係合状態を確実に保持できるようにしている。
【００２２】
また、この発明の請求項４記載のトリガーディスペンサのレバーストッパ機構は、請求項１〜３のいずれかに記載の構成に加え、  前記ストッパアームが閉塞位置に切り替えられたときに前記動作規制部の反トリガーレバー側の端面と当接するストッパ部材を、前記動作規制部と交差してトリガー本体に設けたことを特徴とするものである。
このトリガーディスペンサのレバーストッパ機構によれば、前記ストッパアームが閉塞位置に切り替えられたときに前記動作規制部の反トリガーレバー側の端面と当接するストッパ部材を、前記動作規制部と交差してトリガー本体に設けるようにしており、ストッパアームが多少撓むなどで動くことがあってもこれと交差するストッパ部材で常時規制でき、一層確実に閉塞状態を保持できるようになる。
【００２３】
【発明の実施の形態】
以下、この発明のトリガーディスペンサのレバーストッパ機構の一実施の形態について図面に基づき詳細に説明する。
【００２４】
図１〜図４はこの発明のトリガーディスペンサのレバーストッパ機構の一実施の形態にかかり、図１（ａ）は回転スライドバルブの開状態での正面図、（ｂ）は回転スライドバルブの開状態での概略斜視図、（ｃ）は回転スライドバルブの閉状態での正面図、（ｄ）は回転スライドバルブの閉状態での側面図、図２はストッパアームの正面、平面、左右側面の四面図、図３は回転スライドバルブの正面、底面、右側面の三面図、図４（ａ）は回転スライドバルブとストッパアームの組み立て前の状態の概略斜視図および（ｂ）はトリガーレバーとストッパアームの係合状態の概略斜視図である。
【００２５】
このトリガーディスペンサのレバーストッパ機構１０（以下、単にレバーストッパ機構１０とする）は、例えば図５により既に説明したトリガーディスペンサ１００に付加して設けられ、回転スライドバルブ１１２を閉状態に回動することに連動してトリガーレバー１０８を直接拘束して操作を規制するもので、特に大きな操作力などが加わる場合にも対応できるようにしたものである。
【００２６】
このレバーストッパ機構１０では、回転スライドバルブ１１２の外周および前面の周囲を覆うバルブカバー１１を備えており、回転スライドバルブ１１２の前方から嵌合されて一体に回動させることができるようになっている。
【００２７】
この  ルブカバー１１には、側方に突き出してストッパアーム１２が一体に形成され、このストッパアーム１２が、回転スライドバルブ１１２を閉状態に回動したとき、トリガーレバー１０８の側面に接触して略垂直下方および後方に突き出すようにバルブカバー１１に配置してあり、このバルブカバー１１の側方に突き出したストッパアーム１２によって回転スライドバルブ１１２の回動操作をわずかな力で簡単に行うことができるように回動操作の補助ができるようにしてある。
【００２８】
そして、このストッパアーム１２には、略垂直下方に突き出すように回動されてトリガーレバー１０８の回動方向上流側の側面に当接したとき、後方に突き出した部分１２ａにトリガーレバー１０８の引き込み側後端面と、図５に示すトリガーディスペンサ１００のピストン１０７が摺動する縦型シリンダ１０６の側面１１４から延出するストッパ部材を構成する水平リブ１１５との間に挿入にされてこれらに当接してトリガーレバー１０８の引き込み動作を規制する動作規制部としてのストッパ片１３が一体に形成してあり、トリガーレバー１０８の幅よりわずかに大きく突き出して形成してある。
【００２９】
このように構成したレバーストッパ機構１０では、回転スライドバルブ１１２にバルブカバー１１を被せるように嵌合連結して取り付け、回転スライドバルブ１１２が閉状態に回動されたときにストッパアーム１２が略垂直下方に突き出すようにする必要があり、回転スライドバルブ１１２へのバルブカバー１１の取り付け位置がずれると、トリガーレバー１０８の引き込み動作を規制しても回転スライドバルブ１１２が外気と連通した状態のままになってしまう。
【００３０】
そこで、このような組み立て間違いが生じないようにするため、ストッパアーム１２と一体のバルブカバー１１に、図２に示すように、回転スライドバルブ１１２への嵌合連結方向基端面となるバルブカバー１１の基端部上下に大きさを変えた突出部が嵌合凸部１４ａ，１４ｂとして内側に突き出して形成してあり、さらに嵌合凸部１４ｂの中央には、前方内側に突き出す突起が嵌合凸部１４ｃとして形成してある。
【００３１】
一方、このストッパアーム１２のバルブカバー１１が嵌合連結される回転スライドバルブ１１２には、図３に示すように、嵌合凸部１４ａ〜１４ｃと互いに嵌合される嵌合凹部１５ａ，１５ｂ、１５ｃとなる、嵌合凸部１４ａ〜１４ｃの大きさに対応した大きさの異なる３つの嵌合溝が先端面の上下および下部中央にそれぞれ形成してある。
【００３２】
したがって、このように構成した回転スライドバルブ１１２にストッパアーム１２のバルブカバー１１を被せるように嵌合連結して取り付ける場合に、バルブカバー１１の嵌合凸部１４ａ〜１４ｃと回転スライドバルブ１１２の嵌合凹部１５ａ〜１５ｃとが完全に一致しないと、乗り上げる部分が生じて完全に組み立てることができなくなる。
これにより、回転スライドバルブ１１２にストッパアーム１２のバルブカバー１１を被せるように嵌合連結して取り付ける場合に、間違った位置で組み立てられることが防止でき、しかも誤った組み立て状態では、回転スライドバルブ１１２の先端面とストッパアーム１２のバルブカバー１１の基端面との間に隙間が生じることから、外観上からも誤組み立て状態を簡単に知ることができる。
【００３３】
なお、ここでは、嵌合凹凸部をそれぞれ３つずつ設けるようにして誤った組み立て状態とならないようにしたが、少なくとも１つずつ設けるようにすれば足り、設ける位置も成形上の都合の良いところなどいずれでも良い。
また、嵌合凹凸部をそれぞれバルブカバー１１と回転スライドバルブ１１２に入れ替えて設けるようにしても良い。
【００３４】
さらに、このレバーストッパ機構１０では、ストッパアーム１２の動作規制部としての板状のストッパ片１３をトリガーディスペンサ１００側の水平リブ１１５に当接させることで、トリガーレバー１０８の引き込み動作を規制するが、互いに板の端面同士を当てるようにしており、僅かなずれや変形、あるいはたわみなどで外れる恐れがある。
【００３５】
そこで、ここでは、水平リブ１１５に交差して垂直な板状のストッパ部材１６が一体に形成してあり、ストッパアーム１２のストッパ片１３がずれたり、外れたりせずに常に、トリガーレバー１０８の引き込み動作を規制できるようにしてある。
【００３６】
なお、このストッパ部材１６は、水平リブ１１５に垂直に形成する場合に限らず、交差して形成し、ストッパアーム１２のストッパ片１３がずれても常に当たるように形成すれば良い。
【００３７】
このように、ストッパアーム１２のストッパ片１３が挿入当接されるトリガーディスペンサ１００の縦型シリンダ１０６の側面１１４の水平に突き出した水平リブ１１５および垂直のストッパ部材１６は、従来例として図７により説明したシリンダ１３７の薄肉円筒部に挿入当接させる場合に比べ、トリガーヘッド１０２と一体で強度が高く、大きな力に対しても変形等が起こることがないように形成してあり、一層確実にトリガーレバー１０８の引き込み動作を規制できる。
【００３８】
さらに、このレバーストッパ機構１０では、ストッパアーム１２のストッパ片１３によるトリガーレバー１０８の引き込み動作を確実に規制するとともに、ストッパアーム１２を回動操作する場合に、所定位置に確実に操作したことが分かるようにするため、ストッパ片１３のストッパアーム１２の回動基端部（上流側）に係合溝１７が形成してある。
すなわち、ストッパ片１３のトリガーレバー１０８側の辺は、係合溝１７がくぼんだ状態で形成され、他の部分は突き出した突出辺状態で連続している。
【００３９】
したがって、ストッパアーム１２を回動していくと、まずストッパ片１３の先端がトリガーレバー１０８の手前の側壁に当たった後乗り上げるようになり、さらに回動していくことで、ストッパ片１３の先端がトリガーレバー１０８の前方の側壁に当たった後乗り上げるとともに、ストッパ片１３の基端部の係合溝１７に落ちるようになってトリガーレバー１０８の手前の側壁が嵌り合って係合する。
これにより、乗り上げる際の抵抗と、係合溝１７に落ちることによりクリック感が生じ、確実操作されたことが分かる。
【００４０】
なお、このトリガーレバー１０８の規制状態では、トリガーレバー１０８の前方の側壁がストッパ片１３と密着し、手前の側壁と係合溝１７とは隙間が形成された状態となる。
したがって、トリガーレバー１０８に大きな力が加わっても、まず密着状態の前方の側壁が押され、手前の側壁と係合溝１７との係合状態はそのまま保持され、外れることが防止されるとともに、係合溝１７以外は高い突出辺状態であるので、突起のように乗り上げて外れることも防止できる。
【００４１】
このように構成したレバーストッパ機構１０では、回転スライドバルブ１１２にバルブカバー１１を嵌合凹凸部１４，１５で位置合わせをして被せるように取り付け、回転スライドバルブ１１２が閉状態に回動されたときにストッパアーム１２が略垂直下方に突き出すようにしておく。
【００４２】
そして、トリガーディスペンサ１００により内容液を噴射して使用する状態では、回転スライドバルブ１１２が開状態に回動され、例えば図１（ａ）（ｂ）に示すように、ストッパアーム１２が垂直下方から反時計回りに１２０度回動された斜め上方に位置した状態とする。
【００４３】
一方、保管する場合や輸送する場合などは、回転スライドバルブ１１２を閉状態にするとともに、トリガーレバー１０８を操作できないように規制する必要がある場合には、バルブカバー１１の斜め上方に突き出しているストッパアーム１２を利用して回転スライドバルブ１１２を閉状態にするよう時計回りに１２０度回動し、ストッパアーム１２が垂直下方に位置しトリガーレバー１０８の側面に当たり、後方突出部１２ａの動作規制部であるストッパ片１３がトリガーレバー１０８の引き込み側後端面とトリガーディスペンサ１００の縦型シリンダ１０６の側面１１４から突き出した水平リブ１１５およびストッパ部材１６との間に挿入されてこれらに前後端面が当接する状態にする。
【００４４】
この回動操作を行う場合には、既に説明したように、ストッパアーム１２を回動していくと、まずストッパ片１３の先端がトリガーレバー１０８の手前の側壁に当たった後乗り上げるようになり、さらに回動していくことで、ストッパ片１３の先端がトリガーレバー１０８の前方の側壁に当たった後乗り上げるとともに、ストッパ片１３の基端部の係合溝１７に落ちるようになってトリガーレバー１０８の手前の側壁が嵌り合って係合するようになり、乗り上げる際の抵抗と、係合溝１７に落ちることによるクリック感で確実操作されたことが分わかる。
【００４５】
この状態では、トリガーレバー１０８の後端面とトリガーディスペンサ１００の水平リブ１１５およびストッパ部材１６との間にストッパアーム１２のストッパ片１３が挿入された状態となり、トリガーレバー１０８を引き込もうとして指を掛けてもその前方の側壁の後端面がストッパアーム１２のストッパ片１３で押さえられるとともに、手前の側壁が係合溝１７との係合していることから、操作することができない。
【００４６】
したがって、トリガーレバー１０８がわずかに引かれたり、外力などで引かれるのと同等の状態になることがなく、ポンプ室１０９内の内容液の圧力が累積的に上昇して蓄圧状態となることもなく、回転スライドバルブ１１２を噴射状態に切り替えた場合でもその瞬間、ポンプ室１０９内の内容液が不意に噴射されたり、液垂れを生じることがない。
【００４７】
そして、このレバーストッパ機構１０では、ストッパアーム１２に設けたストッパ片１３をトリガーレバー１０８の後端面とトリガーディスペンサ１００の水平リブ１１５およびストッパ部材１６との間に隙間なく挿入してトリガーレバー１０８の操作を規制しているが、このトリガーディスペンサ１００の縦型シリンダ１０６の側面１１４の水平リブ１１５およびストッパ部材１６がトリガーヘッド１０２と一体の強度の高い部分であり、従来の薄肉円筒部の端面に係合接触させてトリガーレバー１０８の操作を規制する場合に比べ、大きな操作力が加わる場合でも変形などを防止して一層確実にトリガーレバー１０８の操作を規制することができる。
【００４８】
また、ストッパアーム１２がバルブカバー１１から後方および斜め上方に長く突き出すように形成してあるので、ストッパアーム１２を利用して小さな力で回転スライドバルブ１１２を噴霧位置と閉塞位置に切り替えることができる。
【００４９】
さらに、このレバーストッパ機構１０では、バルブカバー１１と回転スライドバルブ１１２との間に互いを嵌合させる嵌合凹凸部１４，１５を形成したので、組み立て間違いが生じることを完全に防止することができるとともに、外観上からも組み立て間違いを知ることができる。
【００５０】
また、このレバーストッパ機構１０では、ストッパアーム１２のストッパ片１３に係合溝１７を形成したので、ストッパアーム１２の回動操作の際、クリック感が生じ、確実に操作したことを知ることができるとともに、トリガーレバー１０８の操作規制状態を一層確実に保持することができる。
【００５１】
【発明の効果】
以上、一実施の形態とともに具体的に説明したように、この発明の請求項１記載のトリガーディスペンサのレバーストッパ機構によれば、回転スライドバルブに、回転に連動し閉塞位置に切り替えられたときにトリガーレバーの動作を規制する動作規制部を備えたストッパアームを嵌合連結し、これら回転スライドバルブとストッパアームとの嵌合連結部に互いの組込み位置を規制する嵌合凹部と嵌合凸部とのいずれかを設けたので、嵌合凹凸部によって回転スライドバルブとストッパアームの嵌合位置が規制されてこれらを互いに嵌め合わせなければ組み立てることができず、これにより、誤組立てを防止して確実に閉塞状態を確保することができる。
【００５２】
また、この発明の請求項２記載のトリガーディスペンサのレバーストッパ機構によれば、前記嵌合凹部を前記回転スライドバルブの先端面外周に設ける一方、前記嵌合凸部を前記ストッパアームの基端面に設けたので、回転スライドバルブの先端面に生じる段差の有無を見ることで、簡単に誤組み立て状態を見付け出すことができる。
【００５３】
さらに、この発明の請求項３記載のトリガーディスペンサのレバーストッパ機構によれば、前記ストッパアームの動作規制部に、当該ストッパアームが閉塞位置に切り替えられたときに前記トリガーレバーが係合される係合溝を回動基端部に設けたので、ストッパアームを回動して係合溝にトリガーレバーが係合することで、クリック感が生じ、確実に操作したことを確認することができるとともに、大きな力が加わっても突起部で仕切る場合に比べ係合溝からの乗り上げを防止して係合状態を確実に保持することができる。
【００５４】
また、この発明の請求項４記載のトリガーディスペンサのレバーストッパ機構によれば、前記ストッパアームが閉塞位置に切り替えられたときに前記動作規制部の反トリガーレバー側の端面と当接するストッパ部材を、前記動作規制部と交差してトリガー本体に設けたので、ストッパアームが多少撓むなどで動くことがあってもこれと交差するストッパ部材で常時規制でき、一層確実に閉塞状態を保持することができる。
【図面の簡単な説明】
【図１】この発明のトリガーディスペンサのレバーストッパ機構の一実施の形態にかかり、（ａ）は回転スライドバルブの開状態での正面図、（ｂ）は回転スライドバルブの開状態での概略斜視図、（ｃ）は回転スライドバルブの閉状態での正面図、（ｄ）は回転スライドバルブの閉状態での側面図である。
【図２】この発明のトリガーディスペンサのレバーストッパ機構の一実施の形態にかかるストッパアームの正面、平面、左右側面の四面図である。
【図３】この発明のトリガーディスペンサのレバーストッパ機構の一実施の形態にかかる回転スライドバルブの正面、底面、右側面の三面図である。
【図４】この発明のトリガーディスペンサのレバーストッパ機構の一実施の形態にかかり、（ａ）は回転スライドバルブとストッパアームの組み立て前の状態の概略斜視図、（ｂ）はトリガーレバーとストッパアームの係合状態の概略斜視図である。
【図５】この発明のトリガーディスペンサのレバーストッパ機構が設けられるトリガーディスペンサで、（ａ）は正面図、（ｂ）は断面図である。
【図６】従来のトリガーディスペンサのレバーストッパ機構の概略斜視図および側面図である。
【図７】従来の他のトリガーディスペンサのレバーストッパ機構の概略斜視図および側面図である。
【図８】従来のさらに他のトリガーディスペンサのレバーストッパ機構の概略斜視図および側面図である。
【符号の説明】
１０  トリガーディスペンサのレバーストッパ機構
１１  バルブカバー
１２  ストッパアーム
１３  ストッパ片
１４ａ〜１４ｃ  嵌合凸部
１５ａ〜１５ｃ  嵌合凹部
１６  ストッパ部材
１７  係合溝
１００  トリガーディスペンサ
１０１  吐出ノズル部
１０２  トリガーヘッド
１０３  容器
１０４  リテーナ
１０５  ディップチューブ
１０６  シリンダ
１０７  ピストン
１０８  トリガーレバー
１０９  ポンプ室
１１０  吐出弁機構
１１１  吸入弁機構
１１２  回転スライドバルブ
１１３  吸い込み管
１１４  側面
１１５  水平リブ
１１６  コンテナキャップ
【図１】
2005008171.tif 000003
【図２】
2005008171.tif 000004
【図３】
2005008171.tif 000005
【図４】
2005008171.tif 000006
【図５】
2005008171.tif 000007
【図６】
2005008171.tif 000008
【図７】
2005008171.tif 000009
【図８】
2005008171.tif 000010